(57)【要約】【課題】ランプソケットを改良する。【解決手段】ガス含有材料から形成されたランプソケットにおいて、前記ソケット２２の少なくとも一部を被覆したアウトガスシールド４０が設けられている。【選択図】図４
2006059810.tif 000002
【特許請求の範囲】
【請求項１】
ガス含有材料から形成されたランプソケットにおいて、該ランプソケットの少なくとも一部を被覆したアウトガスシールドが設けられていることを特徴とする、ランプソケット。
【請求項２】
前記ソケットが、基部から延びたソケットボディを有しており、該ソケットボディがランプボディに挿入されるようになっており、前記アウトガスシールドが、前記ランプボディ内に位置決めされる前記ソケットボディの一部に位置決めされている、請求項１記載のランプソケット。
【請求項３】
前記ガス含有材料がプラスチック材料であり、前記アウトガスシールドが金属である、請求項１記載のランプソケット。
【請求項４】
前記ランプボディが、反射部とレンズ部とを有しており、前記反射部が反射面を有しており、前記アウトガスシールドが、前記ランプボディの反射面に実質的に一致する反射面を有している、請求項２記載のランプソケット。
【請求項５】
前記アウトガスシールドがステンレス鋼から形成されている、請求項４記載のランプソケット。
【発明の詳細な説明】
【技術分野】
【０００１】
本発明は、ランプソケット、特に自動車用途のためのランプソケットに関する。さらに具体的には、本発明は、ランプボディの反射器及びレンズに堆積することができこれによりランプの効率を低減する生成物を放出する傾向が低減されたランプソケットに関する。
【背景技術】
【０００２】
覗き面に不都合に堆積される可能性がある材料を放出する傾向を有する材料から構成されたあらゆるランプソケットに適用可能であるが、本発明は特に、テールランプ及び方向指示灯に使用される自動車用ソケットに特に適用可能である。このようなソケットは例えば米国特許第５４１１４０７号明細書及び第５９７１８１４号明細書に記載されており、これらの両米国特許は本発明の譲受人に譲渡された。このようなソケットは、４３％のガラス充填材を備えたナイロンから形成されることができ、通常、Ｓ８電球を用いるＳ８ソケットとして設計されている。Ｓ８電球はくさび形口金を有しており、このくさび形口金は、ソケット内に摩擦を生じながら係合し、これらの電球は約１００℃を超えた温度で作動することができる。このような温度において、混入されたガスがソケット材料から放出され、ランプ外管に堆積し、ランプ性能に不都合な影響を与える可能性がある。
【特許文献１】米国特許第５４１１４０７号明細書
【特許文献２】米国特許第５９７１８１４号明細書
【発明の開示】
【発明が解決しようとする課題】
【０００３】
したがって、本発明の課題は従来技術の欠点を排除することである。
【０００４】
本発明の別の課題は、ランプソケットを改良することである。
【課題を解決するための手段】
【０００５】
これらの課題は、発明の１つの態様において、ガス含有材料から形成されたランプソケットに、前記ソケットの少なくとも一部を被覆するアウトガスシールドを設けることによって達成された。
【０００６】
発明の有利な実施形態において、ソケットは、基部から延びたソケットボディを有しており、ソケットボディはランプボディに挿入されるようになっており、アウトガスシールドが、ランプボディ内に位置決めされるソケットボディの一部に位置決めされている。
【０００７】
シールドは、ソケットにおいてより低い温度を維持し、生じる可能性のあるアウトガス放出を防止するか又はアウトガスの量を著しく制限する。
【発明を実施するための最良の形態】
【０００８】
本発明を、発明の他の課題、利点及び能力と共により理解するために、後に述べる図面に関連した以下の開示及び添付の請求項が参照される。
【０００９】
ここで図面をより詳しく参照すると、図１に、キャビティ１４及びレンズ１６から成るボディ１２を有するランプ１０が示されている。キャビティ１４の内面１７は反射仕上げされている。ソケットボディ２２に取り付けられたランプ２０を含むランプユニット１８は、慣例のとおりランプボディの基部２４に嵌め込まれている。
【００１０】
ソケットボディ２２は長手方向軸線２６に沿って配置されている。ソケットボディは、上昇した温度においてアウトガスを放出するような、４３％のガラス充填材を含むナイロン等の材料から成る。アウトガス放出を回避するためにより高温の材料を使用することも選択肢であるが、より高いコストが負の要因となるので本当にソリューションではない。
【００１１】
ボディ２２は、複数の電気接点と、電球２０のための受容領域とを含む開口２８を有している。
【００１２】
ボディ２２はさらに、ガスケット３２を収容するための、ボディ２２を包囲したガスケット収容領域３０を有している。通常ガスケット３２は、プレモールドされたサントプレンガスケットであり、このガスケットは、ランプソケットが使用のために位置決めされたときにガスケットが反射器基部２４に当接するように、慣用のランプソケットスレッド３４に被せ嵌められるように延伸される。ガスケット収容領域３０は、反射器にランプソケットを装着するのを助けるためのオーバハング３６を有する。シュラウド３８は、ソケットボディ２２から突出しており、電源に接続するための電気端子を有している。
【００１３】
ここで図３を参照すると、面４２及び周方向側壁４４を備えた実質的にカップ状のアウトガスシールド４０が示されている。電球２０を挿入するための開口４４が面４２に設けられている。シールド４０は、ランプボディ１２内に突出したソケットボディの実質的に全てのプラスチックコンポーネントをカバーし、ランプ２０が作動しているときにより低温のゾーンを形成し、これにより、アウトガス放出量と、反射面１７及びレンズ１９の内側における望ましくない量の結果的な堆積とを減じる。有利には、面４２は実質的に、反射面１７の反射特性と一致する。シールドが装着されている場合、ランプが作動していないときにはソケットボディは見えないので、ランプの美観に寄与する。さらに、ある条件においては、ランプの光出力が増大されることができる。
【００１４】
シールド４０は、ソケットボディ２２の内部に被せ嵌められ、摩擦によって所定の位置に保持されることができるか、又はその他の手段、たとえは糊又はピンによって所定の位置に保持されることができる。
【００１５】
シールド４０には多数の材料が適しているが、好適な材料は、０．４ｍｍの厚さの４３０ステンレス鋼である。
【００１６】
シールドを備えた場合と備えない場合とのソケットの試験動作は、所定の位置にシールドを備えた場合に上部ボディ温度が２３℃低下することを示し、ひいては、アウトガス放出、及びそれに続くランプアセンブリの反射器及びレンズにおける外来材料の望ましくない堆積を有効に阻止する。
【００１７】
現在発明の好適な実施形態であると考えられるものが示されかつ説明されたが、添付の請求項によって定義された発明の範囲から逸脱することなく実施形態に様々な変更を行うことができることは当業者に明らかになるであろう。
【図面の簡単な説明】
【００１８】
【図１】発明を利用したランプの概略的な側面図である。
【図２】発明を利用することができるランプソケットの斜視図である。
【図３】発明のアウトガスシールドの平面図である。
【図４】所定の位置にアウトガスシールドを備えたランプソケットの斜視図である。
【符号の説明】
【００１９】
１０  ランプ、  １２  ボディ、  １４  キャビティ、  １６  レンズ、  １８  ランプユニット、  ２０  ランプ、  ２２  ソケットボディ、  ２４  口金、  ２６  長手方向軸線、  ３０  ガスケット収容領域、  ３２  ガスケット、  ３４  ランプソケットスレッド、  ３６  オーバハング、  ３８  シュラウド、  ４０  アウトガスシールド、  ４２  面、  ４４  周方向側壁、  ４４  開口
【図１】
2006059810.tif 000003
【図２】
2006059810.tif 000004
【図３】
2006059810.tif 000005
【図４】
2006059810.tif 000006